(57)【特許請求の範囲】
【請求項１】
海藻の種苗が育成される複数の育苗部材を収容する収容空間が形成され、収容空間は育苗部材を挿入および排出するための開口を介して開放される収容体と、
収容空間に収容される育苗部材の排出を、阻止解除可能に阻止する排出阻止手段とを含むことを特徴とする種苗収容装置。
【請求項２】
排出阻止手段は、育苗部材を係止して育苗部材の排出を阻止する係止位置と、係止位置から退避して育苗部材の排出を許容する退避位置とにわたって変位可能に設けられる係止部材を有することを特徴とする請求項１記載の種苗収容装置。
【請求項３】
排出阻止手段は、係止位置にある係止部材に掛合解除可能に弾発的に掛合して、係止部材の係止位置からの変位を阻止する掛合片を有することを特徴とする請求項２記載の種苗収容装置。
【請求項４】
１つの係止部材によって、複数の育苗部材を係止可能であることを特徴とする請求項２または３記載の種苗収容装置。
【請求項５】
排出阻止手段は、育苗部材を弾発的に挟持することによって、育苗部材の排出を阻止することを特徴とする請求項１記載の種苗収容装置。
【請求項６】
陸上の育成場所で、育苗部材に海藻を着生させて種苗を育成する育苗工程と、
育成場所で、請求項１〜５のいずれかに記載の種苗収容装置に、海藻の種苗が育成された育苗部材の収容体に収容する収容工程と、
育苗部材が排出を阻止された状態で収容体に収容された種苗収容装置を、育成場所から、種苗を移植すべき海底の移植場所の上方の海面付近の場所まで搬送する搬送工程と、
移植場所の海面付近の場所から海底まで育苗部材を搬送して、その育苗部材を海底の移植場所に設置する設置工程とを含むことを特徴とする種苗搬送方法。
【請求項７】
収容体は、外形寸法が１２０ｃｍ以下の容器に収納可能であることを特徴とする請求項６記載の種苗搬送方法。
【発明の詳細な説明】
【０００１】
【発明の属する技術分野】
本発明は、たとえばホンダワラ、アラメ、カジメおよびコンブなどの海藻の種苗を、陸上から海底まで搬送するための種苗収容装置および種苗搬送方法に関する。
【０００２】
【従来の技術】
近年、海洋の汚染が著しく、また魚介類の乱獲が進み、これら海洋における動植物の枯渇が懸念されている。この問題点に鑑み、海底に人工的に海藻を繁らせ、人工的に魚礁が形成されている。海底に海藻を繁らせるために、海藻着生用の部材を海底に設置し、海藻の種子および遊走子（胞子）が着生して生育しやすいようにしている。この技術は、海藻の種子および遊走子が着生しやすい部材を設置するだけであり、海藻の種子および遊走子が自然に着生して生育するのを期待しなければならない（たとえば特許文献１）。
【０００３】
これに対して、陸上で海藻の種苗を育成し、海底に移植するようにして、海底に積極的に海藻を繁らせる技術がある。この技術において、陸上で育成した海藻の種苗を海底まで搬送するにあたっては、陸上で、種苗を板状の部材に付着させ、この板状の部材を紐で縛って一塊として搬送していたが、作業効率が悪いものであった。
【０００４】
【特許文献１】
特開平５−８８７１号公報
【０００５】
【発明が解決しようとする課題】
本発明の目的は、陸上で育成した海藻の種苗を搬送する搬送作業の作業効率を高くすることができる種苗収容装置および種苗搬送方法を提供することである。
【０００６】
【課題を解決するための手段】
本発明は、海藻の種苗が育成される複数の育苗部材を収容する収容空間が形成され、収容空間は育苗部材を挿入および排出するための開口を介して開放される収容体と、
収容空間に収容される育苗部材の排出を、阻止解除可能に阻止する排出阻止手段とを含むことを特徴とする種苗収容装置である。
【０００７】
本発明に従えば、海藻の種苗が育成される複数の育苗部材を、収容体の収容空間に収容し、育苗部材の収容空間からの排出を排出阻止手段によって阻止することができる。このような種苗収容装置に、育苗部材を収容し、この種苗収容装置を、搬送することによって、種苗を搬送することができる。この種苗収容装置を用いれば、複数の育苗部材を作業者が紐で縛るなどして搬送する場合に比べて、作業を容易にし、作業効率を高くすることができる。
【０００８】
また種苗を海底に移植するために、作業者が、育苗部材を種苗収容装置から取出すにあたっては、排出阻止手段による育苗部材の排出阻止を解除するだけで、育苗部材を開口を介して、収容体から取出すことができるようになる。作業者は、紐を解くなどの手間を要する作業をしなくても、育苗部材の取出しが可能になるので、作業効率を高くすることができる。
【０００９】
また本発明は、排出阻止手段は、育苗部材を係止して育苗部材の排出を阻止する係止位置と、係止位置から退避して育苗部材の排出を許容する退避位置とにわたって変位可能に設けられる係止部材を有することを特徴とする。
【００１０】
本発明に従えば、係止部材を変位させるだけで、育苗部材の排出阻止状態と排出阻止解除状態とを切り換えることができる。これによって、この切換作業を容易にすることができ、育苗部材を収容体に収容する作業および育苗部材を収容体から取出す作業を容易にすることができる。
【００１１】
また本発明は、排出阻止手段は、係止位置にある係止部材に掛合解除可能に弾発的に掛合して、係止部材の係止位置からの変位を阻止する掛合片を有することを特徴とする。
【００１２】
本発明に従えば、掛合片によって、係止部材の変位を阻止することができるので、種苗収容装置を陸上から海底まで搬送するときに、係止部材が不所望に変位して、育苗部材の排出阻止が解除されてしまうことが防がれる。このように係止部材の不所望な変位を阻止する掛合片は、係止部材に弾発的に掛合されており、作業者が、簡単な操作によって、相互の掛合状態を解除し、係止部材を変位させることができる状態にすることができる。したがって種苗収容装置を搬送するときには、育苗部材が排出されてしまうことを確実に防ぎ、かつ育苗部材を取出すときには、育苗部材の排出阻止状態を、簡単な操作で容易に解除することができる。
【００１３】
また本発明は、１つの係止部材によって、複数の育苗部材を係止可能であることを特徴とする。
【００１４】
本発明に従えば、１つの係止部材によって、複数の育苗部材を係止可能である。これによって１つの係止部材を変位させるだけで、複数の育苗部材の排出阻止状態と排出阻止解除状態とを切り換えることができる。したがってこの切換作業をさらに容易にすることができ、育苗部材を収容体に収容する作業および育苗部材を収容体から取出す作業をさらに容易にすることができる。
【００１５】
また本発明は、排出阻止手段は、育苗部材を弾発的に挟持することによって、育苗部材の排出を阻止することを特徴とする。
【００１６】
本発明に従えば、排出阻止手段は、育苗部材を弾発的に挟持することによって、育苗部材の排出を阻止することができる。これによって簡単な操作で、育苗部材の排出阻止状態と排出阻止解除状態とを切り換えることができる。したがってこの切換作業を容易にすることができ、育苗部材を収容体に収容する作業および育苗部材を収容体から取出す作業を容易にすることができる。
【００１７】
また本発明は、陸上の育成場所で、育苗部材に海藻を着生させて種苗を育成する育苗工程と、
育成場所で、前記種苗収容装置に、海藻の種苗が育成された育苗部材の収容体に収容する収容工程と、
育苗部材が排出を阻止された状態で収容体に収容された種苗収容装置を、育成場所から、種苗を移植すべき海底の移植場所の上方の海面付近の場所まで搬送する搬送工程と、
移植場所の海面付近の場所から海底まで育苗部材を搬送して、その育苗部材を海底の移植場所に設置する設置工程とを含むことを特徴とする種苗搬送方法である。
【００１８】
本発明に従えば、陸上で海藻の種苗を育成し、その種苗を海底まで搬送して、海底に移植することができる。このような移植にあたって、海藻の種苗は、育苗部材に育成され、この育苗部材をそのまま種苗収容装置に収容して、少なくとも海底の移植場所の上方の海面付近まで搬送し、この場所からさらに移植場所まで育苗部材を搬送し、移植場所に固定することによって、種苗が移植される。このように種苗を育成し、海底に移植するまで、種苗を育苗部材に付着させたままであるので、種苗の搬送が容易であるとともに、種苗を傷付けてしまうことがない。
【００１９】
また種苗を移植場所の上方の海面付近まで搬送するにあたっては、種苗収容装置を用いることによって、作業者が手作業で紐で縛るなどして搬送する場合に比べて、作業効率を高くすることができる。また育苗部材の収容空間からの排出が阻止されているので、搬送時に育苗部材が収容体から不所望に排出されてしまうことがなく、種苗収容装置の搬送作業を容易にすることができる。
【００２０】
また種苗を海底に移植するために、作業者が、育苗部材を種苗収容装置から取出す場合、排出阻止手段による育苗部材の排出阻止を解除するだけで、育苗部材を開口を介して、収容体から取出すことができるようになる。作業者は、紐を解くなどの手間を要する作業をしなくても、育苗部材の取出しが可能になる。したがって作業効率を高くすることができる。特にこの取出作業を海底でするときには、効果的である。
【００２１】
また本発明は、収容体は、外形寸法が１２０ｃｍ以下の容器に収納可能であることを特徴とする。
【００２２】
本発明に従えば、種苗収容装置は、外形寸法が１２０ｃｍ以下の容器に収納可能である。外形寸法が１２０ｃｍ以下の容器に収納できれば、育苗部材をその容器に収納して、宅配業者が行っている宅配サービスによって、搬送することができ、育成場所と移植場所の近郊までの陸上搬送が容易になる。
【００２３】
【発明の実施の形態】
図１は、本発明の実施の一形態の種苗収容装置１を示す斜視図である。図２は、種苗収容装置１の一部を拡大して示す正面図である。図３は、種苗収容装置１を示す断面図であり、図２の右側から見た断面を示す。また図１には、収容空間６の一部にだけ海藻プレート５を収容した状態で示す。海底に、海藻を人工的に繁らせ、魚介類の生息場所となる魚礁を人工的に形成するために、陸上に設けられる育成場所で、海藻の種苗２を育成し、この種苗２を海底の移植場所に移植する。海藻は、たとえばホンダワラ、アラメ、カジメおよびコンブなどである。
【００２４】
これら海藻の種苗２は、育成場所にある育成設備で、海藻プレート５に育成される。育成された種苗２は、育成場所で、種苗収容装置１に海藻プレート５ごと収容される。この種苗収容装置１が、移植場所の上方の海面付近に、陸上輸送手段および船舶を用いて運ばれた後、船舶から吊下げた状態で海中に下ろされ、移植場所まで運ばれる。このようにして種苗２が、移植場所まで搬送され、海藻プレート５が移植場所に設置されることによって、移植場所に移植される。この種苗２の移植にあたって、種苗２を搬送するために、種苗収容装置１が用いられる。
【００２５】
種苗搬送装置１は、収容体３と、排出阻止手段４とを含んで構成される。収容体３は、海藻の種苗２が育成される複数の海藻プレート５を収容する収容空間６が形成される。収容空間６は、海藻プレート５を挿入および排出するための開口７を介して開放されている。排出阻止手段４は、収容体２の収容空間６に収容される海藻プレート５が、収容空間６から排出してしまうことを阻止する手段であり、この海藻プレート５の収容空間６からの排出の阻止を解除可能に構成される。
【００２６】
図４は、海藻プレート５を示す斜視図である。育苗部材である海藻プレート５は、たとえば合成樹脂から成り、基本的に、基体８と、この基体８から突出する環状凸部９とを有する。基体８は、正方形または長方形など四角形、本実施の形態では一辺が８０ｍｍの正方形であり、厚みが１．５ｍｍの平板状である。基体８は、たとえばポリ乳酸素材のダブルラッセルをセンターカットしたシートであってもよく、繊維ネットのシートであってもよく、耐衝撃性および耐久性に優れている。この基体８の中央部には、厚み方向に挿通する挿通孔が形成されている。
【００２７】
環状凸部９は、たとえばステンレス鋼から成り、基体８の中央部における厚み方向一方側の表面部に、軸線が基体８の厚み方向と平行になるように設けられる。環状凸部９には、軸線方向に挿通する挿通孔が形成されている。基体８の挿通孔と環状凸部９の挿通孔とは、相互に連なって配置され、これら各挿通孔によって、基体８の厚み方向に連続して一直線状に延びる係止孔１０が形成される。基体８と環状凸部９とは、一体成形されてもよいし、別体に形成した後、たとえば接着材を用いて接着するなどして固着するようにしてもよい。
【００２８】
また基体８には、厚み方向一方側の表面部に、基体８から突出して固定される複数の線状体１１が設けられてもよい。線状体１１は、たとえば基体８の前記表面部の全領域に均一な分布密度で設けられる。この線状体１１は、一端部が基体８に固定されて直線状に延びるように形成されてもよいし、両端部が基体８に固定されてＵ字状に形成されてもよい。この線状体１１を設けることによって、海藻プレート５を海底に設置して、種苗２を移植したときに、ウニ、アワビおよびバテイラなどの植食動物などによる食害を防止する効果が得られる。
【００２９】
この海藻プレート５には、厚み方向一方側の表面部に、海藻の種子および遊走子が付着され、種苗２が育成される。この海藻プレート５の基体８の厚み方向一方側の表面部は平滑であっても、前述の種子および遊走子の付着は充分に達成されるが、さらにその表面部が多孔質、または凹凸が存在する形状にすることによって、種子および遊走子がより付着しやすくなる。また基体８には、海底において、種苗２の生育を促進するために、２価鉄、ケイ素、リンなどを含有し、長期にわたって海水中に溶出して栄養を供給するようにしてもよい。
【００３０】
図５は、収容体３の側壁部１７付近の一部を拡大して示す斜視図である。図１〜図４を併せて参照して、収容体３は、一方向に開放する棚状であって、複数の支持台１２が形成されており、各支持台１２によって海藻プレート５の周縁部を支持し、海藻プレート５を収容することができる。この収容体３は、天井部１５、底部１６、複数の側壁部１７、背後部１８および前記各支持台１２を有する。これら天井部１５、底部１６、複数の側壁部１７、背後部１８および前記各支持台１２は、たとえばステンレス鋼から成る。
【００３１】
天井部１５は、長尺長方形の平板状である。底部１６は、天井部１５とほぼ同様の長尺長方形状の平板状である。これら天井部１５および底部１６は、天井部１５が底部１６の上方に配置されるように、上下に間隔をあけて、略水平に配置される。天井部１５および底部１６は、各厚み方向が鉛直方向に配置される状態で、各長手方向が略平行となるように、相互に略平行に配置される。
【００３２】
本実施の形態では、４つの側壁部１７が設けられ、各側壁部１７は、長尺長方形状の平板状であり、天井部１５および底部１６と同一の幅寸法を有する。各側壁部１７は、天井部１５および底部１６に対して略垂直に設けられ、一端部が天井部１５にそれぞれ連結され、他端部が底部１６にそれぞれ連結されている。各側壁部１７は、各長手方向が鉛直方向に配置され、各厚み方向が天井部１５の長手方向と同一方向となるように配置される。
【００３３】
これら各側壁部１７は、天井部１５および底部１６の長手方向となる水平方向に間隔をあけて、略鉛直に配置される。各側壁部１７は、相互に略平行に配置される。外側に配置される２つの側壁部１７は、天井部１５および底部１６の長手方向一端部同士および長手方向他端部同士を連結する。内側に配置される２つの側壁部１７は、外側の２つの側壁部１７間を３等分するように配置される。
【００３４】
天井部１５、底部１６および側壁部１７に囲まれて、収容空間６が形成される。この収容空間６は、内側の２つの側壁部１７によって、３つに空間領域２４に仕切られている。
【００３５】
背後部１８は、長方形の平板状である。この背後部１８は、天井部１５、底部１６および各側壁部１７に囲まれる収容空間６を背後側から覆って設けられる。収容空間６の正面側は開放している。このように本実施の形態では、天井部１５、底部１６、複数の側壁部１７および背後部１８は、板状であり、収容体３は、正面側となる一方向へ開放する箱状に形成される。
【００３６】
支持台１２は、長尺状であり、長手方向に垂直な断面の形状が直角三角形状である。各支持台１２は、各空間領域２４に設けられる。具体的には、各支持台１２は、各側壁部１７の相互に対向する厚み方向の表面部に、背後部１８側から開放端側に延びて、略水平に設けられる。各側壁部１７のうちのいずれか１つの側壁部１７の一表面部の各支持台１２と、このいずれか１つの側壁部１７の一表面部に対向する他の側壁部１７の表面部の各支持台１２とは、それぞれ対を成しており、対を成す２つの支持台１２は、上下方向である鉛直方向に関して、同一位置に、略平行に設けられる。
【００３７】
また各支持台１２は、前記直角三角形の斜辺を除く２つの辺のうちの一方の辺に相当する面（以下、この面を「支持面」という場合がある）２０が、上方に臨みかつ略水平に配置されるように、前記２つの辺のうちの他方の辺に相当する面２１で側壁部１７に固定される。対を成す２つの支持台１２の支持面２０は、水平な一仮想平面上に配置される。この対を成す２つの支持台１２によって、海藻プレート５の前記正方形の対向する２辺に沿う周縁部を支持して、海藻プレート５を支持することができる。
【００３８】
このように海藻プレート５を、種苗２が育成される表面部を上側に配置して、支持台１２に支持させて収容することができる。海藻プレート５は、開口７を介して、収容空間６外から収容空間６に挿入して、収容空間６に収容することができるとともに、開口７を介して、収容空間６から収容空間６外に排出させて、収容空間６から取出すことができる。
【００３９】
各側壁部１７の１つの表面部には、上下方向に間隔をあけて、複数の支持台１２が設けられている。このようにして、対を成す２つの支持台１２の支持面２０を含む仮想平面と、これら２つの支持台１２に対して上下に隣接する対を成す２つの支持台１２の支持面２０を含む仮想平面との間が、各海藻プレート５が個別に配置される配置領域２３となり、収容空間６の各空間領域２４に、上下に複数の配置領域２３が形成される。
【００４０】
したがって複数の海藻プレート５を、各支持台１２に支持させて、上下方向に間隔をあけて、いわば積層するように、各配置領域２３に配置して、収容空間６の各空間領域２４に収容することができる。各配置領域２３の上下方向の寸法、したがって各支持台１２の上下方向の配置間隔は、複数の海藻プレート５を配置領域２３に配置、収容したときに、種苗２が上方に配置、収容される海藻プレート５によって傷つかないように設定される。たとえば種苗２は、１０ｍｍ程度の寸法であり、支持台１２の配置間隔は、１５ｍｍに設定される。
【００４１】
このように収容体３は、収納空間６の１つの空間領域２４毎に、収納ユニット４０が構成され、複数、本実施の形態では３つの収納ユニット４０が合体されて構成される。１つの収納ユニット４０に着目すると、この収納ユニット４０は、水平方向に間隔をあけて相互に対応する２つの側壁部１７と、各側壁部１７の上端部同士を連結する上壁部１５ａと、各側壁部１７の下端部同士を連結する下壁部１６ａと、これらに囲まれる空間領域２４を背後側から覆う背壁部１８ａと、この空間領域２４に上下に間隔をあけて設けられる複数の支持台１２とを含んで構成されている。上壁部１５ａは、天井部１５の一部から成り、下壁部１６ａは、底部１６の一部から成り、背壁部１８ａは、背後部１８の一部から成る。本実施の形態では、３つの収納ユニット４０が、開口を同一方向に向けて並べて設けられ、隣接する収納ユニット４０は、側壁部１７を共用している。
【００４２】
図６は、収容体３の天井部１５付近の一部を拡大して示す斜視図である。図７は、収容体３の底部１６付近の一部を拡大して示す斜視図である。図１〜図５を併せて参照して、排出阻止手段４は、隣接する側壁部１７間に、１つの空間領域２４に上下に積層するようにして収容される各海藻プレート５を、共通に排出阻止するように構成される。したがって本実施の形態では、各収納ユニット４０に関連して１つの排出手段４が設けられ、収納ユニット４０の数に等しい３つの排出阻止手段４が設けられる。各排出阻止手段４は、係止部材２５と掛合片２６とをそれぞれ有する。
【００４３】
係止部材２５は、長手棒状の部材であり、直線状の基部２８と、基部２８の一端部から略垂直に屈曲する掛合部２９とを有する。基部２８の他端部には、先細状の嵌合部３１が形成されている。
【００４４】
天井部１５には、厚み方向に挿通する装着用孔３０が、各側壁部１７の間の部分に、それぞれ形成されている。すなわち各上壁部１５ａに装着用孔３０がそれぞれ形成されている。また底部１６には、上側の部分である収納空間６に臨む厚み方向一方側の表面部に、環状の嵌合部材３２が、各側壁部１７の間の部分に、それぞれ設けられ、上方に開放する嵌合凹所３３が、それそれ形成されている。すなわち各下壁部１６ａに勘合凹所３３がそれぞれ形成されている。
【００４５】
装着用孔３０と嵌合凹所３３とは、それらの軸線が鉛直な基準軸線Ｌ０と一致するように形成されている。各海藻プレート５は、収容空間６に収容された状態で、支持台１２に支持される周縁部とは異なる周縁部であって背後側の辺に沿う周縁部が背後部１８に当接して位置決めされる。この状態で、係止孔１０は、その軸線と前記基準軸線Ｌ１とが一致するように配置される。
【００４６】
係止部材２５は、掛合部２９が形成される一端部側を上部に配置し、この掛合部２９が天井部１５の上方に配置される状態で、装着用孔３０を挿通しかつ嵌合部３１を嵌合凹所３３に嵌合させて、収納体３に装着することができる。この状態で、係止部材２５の基部２８の軸線は、基準軸線Ｌ０と一致しており、係止部材２５は、この係止部材２５が配置される空間領域２４にある各海藻プレート５の係止孔１０を挿通し、これら各海藻プレート５を係止することができる。このとき、係止部材２５は、１つの係止部材２５によって、複数の海藻プレート５を係止して、これら海藻プレート５の収容空間５からの排出を阻止する係止位置にある。
【００４７】
係止位置にある係止部材２５は、上方Ａ１へ基準軸線Ｌ０に沿ってスライド変位させることができ、このように変位させることによって、係止部材２５が収容体３の上方に離脱させることができる。係止部材２５を収容体３から離脱させると、係止部材２５は、各海藻プレート５から離脱し、各海藻プレート５への係止を解除する。このように係止部材２５は、収容体３に着脱可能であり、離脱された状態では、係止位置から退避して各海藻プレート５の排出を許容する退避位置にある。
【００４８】
係止部材２５は、退避位置から、装着用孔３０および各係止孔１０を挿通するようにして、基準軸線Ｌ０に沿って下方Ａ２にスライド変位させることによって、係止位置に変位させることができる。このように係止位置に配置すれば、前述のように、海藻プレート５の排出阻止が可能になる。
【００４９】
掛合片２６は、係止位置にある係止部材２５に弾発的に掛合して、係止部材２５の係止位置からの変位を阻止する。掛合片２６は、弾発的に変形可能な板状の部材であり、天井部１５の各側壁部１７間の部分に、この部分の上方側に配置されて、装着用孔３０に隣接して、それぞれ設けられる。すなわち各上壁部１５ａに掛合片２６が設けられる。
【００５０】
掛合片２６は、基準軸線Ｌ０まわりの周方向にほぼ沿うように配置され、一端部２６ａで天井部１５に固定されている。掛合片２６の他端部２６ｂは、その先端部が、係止部材２５に掛合されていない自然状態において、天井部１５から上方に第１の間隔Ｄ１をあけ、一端部２６ａに近づくにつれて、天井部１５に近づくように形成されている。掛合片２６の両端部２６ａ，２６ｂ間の中間部２６ｃは、この中間部２６ｃの中央部分が両端部２６ａ，２６ｂ寄りの部分よりも、上方へ天井部１５から遠ざかるように凸に形成されている。掛合片２６の他端部２６ｂと中間部２６ｃとが連なる部位は、自然状態では、天井部１５から上方に第２の間隔Ｄ２をあけている。
【００５１】
第１の間隔Ｄ１は、収容体３に装着された係止部材２５の掛合部２９における上下方向の寸法Ｄ３より大きく、第２の間隔Ｄ２は、前記掛合部２９の寸法Ｄ３よりも小さい。本実施の形態では、係止部材２５が断面円形状の部材を折り曲げて構成されており、前記掛合部２９の寸法Ｄ３は、外径に相当する。
【００５２】
このような掛合片２６は、図１〜図３および図６に実線で示すように、係止部材２５の掛合部２９を、中間部２６ｃと天井部１５との間に嵌まり込ませることによって、掛合部２９に弾発的に掛合する。係止部材２５がこのような掛合位置、すなわち掛合部２９が掛合片２６に掛合される位置にある状態では、掛合片２６は、天井部１５と協働して、掛合部２９を弾発的に挟持し、これによって係止部材２５は、退避位置に向かう変位が阻止される。
【００５３】
係止部材２５は、この掛合位置から、掛合部２９が掛合片２６の一端部２６ａから他端部２６ｂに向かう方向Ｂ１へ、掛合片基準軸線Ｌ０まわりに角変位させて、掛合片２６と天井部１５との間から外方へ退避させることができる。たとえば図２および図６に仮想線で示すように、掛合部２９が合片２６と天井部１５との間の外方に配置される掛合解除位置に、係止部材２５が配置される状態では、係止部材２５は、前述のように上方へ退避位置に向けて変位させることができる。
【００５４】
係止部材２５は、掛合解除位置から、掛合部２９が掛合片２６の他端部２６ｂから一端部２６ａに向かう方向Ｂ２へ、掛合片基準軸線Ｌ０まわりに角変位させて、掛合部２９を、掛合片２９の中間部２６ｃと天井部１５との間に嵌まり込ませて、掛合位置に配置することができる。このように掛合位置に配置すれば、前述のように、係止部材２５の退避位置に向かう変位の阻止が可能になる。
【００５５】
掛合片２６は、前述のように係止部材２５が、掛合位置と掛合解除位置とにわたって角変位されるとき、弾発的に変形させる必要があるけれども、種苗収容装置１を搬送するときに生じる振動程度では、このような変形を生じさせることができず、かつ作業者が手作業で係止部材２５を変位させようとすれば、係止部材２５に押されて変形できるように構成されている。
【００５６】
本実施の形態の種苗収容装置１によれば、複数の海藻プレート５を、収容体３の収容空間６に収容して、種苗２を海底まで搬送することができる。種苗収容装置１を搬送するにあたって、育成場所から移植場所の付近の陸上拠点までは、たとえば宅配便を利用して搬送し、この陸上拠点から移植場所の上方の海面付近までは船舶に搭載して搬送し、海底までは、船舶から吊下げて下ろすようにして搬送される。
【００５７】
この種苗収容装置１を用いれば、複数の海藻プレート５を作業者が紐で縛るなどして搬送する場合に比べて、大量の種苗２を少ない手間で海底に容易に搬送することができ、種苗２を海底まで搬送する搬送作業の作業効率を高くすることができる。また海藻プレートの収容空間６からの排出を、排出阻止手段４によって阻止することができ、種苗収容装置１を搬送するときに、たとえば海水によって海水プレートが押出されたり、または収容体２が傾斜して海藻プレート５が自重で排出されるなど、海藻プレート５が収容体から不所望に排出されてしまうことがなく、種苗収容装置１を海底まで搬送する搬送作業を容易にすることができる。
【００５８】
また種苗２を海底に移植するために、作業者が、海藻プレート５を種苗収容装置１から取出して、その海藻プレート５を海底に設置するが、この海藻プレート５の取出しにあたっては、排出阻止手段４による海藻プレート５の排出阻止を解除するだけで、海藻プレート５を開口７を介して、収容体３から取出すことができるようになる。作業者は、紐を解くなどの手間を要する作業をしなくても、海藻プレート５の取出しが可能になる。特に、この作業を海底でする場合には、紐を解く作業に比べて格段の作業性向上がえられる。
【００５９】
また排出阻止手段４は、係止部材２５を基準軸線Ｌ２５に沿ってスライド変位させるだけで、海藻プレート５の排出阻止状態と排出阻止解除状態とを切り換えることができる。これによって、この切換作業を容易にすることができ、海藻プレート５を収容体３に収容する作業および海藻プレート５を収容体３から取出す作業を容易にすることができる。
【００６０】
また排出阻止手段４は、掛合片２６によって、係止部材２５の変位を阻止することができるので、種苗収容装置１を陸上から海底まで搬送するときに、係止部材２５が不所望に変位して、海藻プレート５の排出阻止が解除されてしまうことが防がれる。このように係止部材２５の不所望な変位を阻止する掛合片２６は、係止部材２５に弾発的に掛合されており、作業者が、係止部材２５を基準軸線Ｌ０まわりに角変位させるだけの簡単な操作によって、掛合片２６自体の操作を必要とすることなく、相互の掛合状態を解除し、係止部材２５を変位させることができる状態にすることができる。したがって種苗収容装置１を陸上から海底まで搬送するときには、海藻プレート５が排出されてしまうことを確実に防ぎ、かつ海底で海藻プレート５を取出すときには、海藻プレート５の排出阻止状態を、簡単な操作で容易に解除することができる。
【００６１】
また掛合片２６を係止部材２５に掛合する操作も、係止部材２５を基準軸線Ｌ０まわりに角変位させるだけの簡単な操作であって、掛合片２６自体の操作を必要としない。したがって掛合片２６を係止部材２５に容易に掛合することができる。
【００６２】
また排出阻止手段４は、各収納ユニット４０毎に設けられ、１つの係止部材２５によって、複数の海藻プレート５を係止可能である。これによって１つの係止部材２５を変位させるだけで、複数の海藻プレート５の排出阻止状態と排出阻止解除状態とを切り換えることができる。したがってこの切換作業をさらに容易にすることができ、海藻プレート５を収容体３に収容する作業および海藻プレート５を収容体３から取出す作業をさらに容易にすることができる。
【００６３】
また排出阻止手段４は、係止部材２５に各海藻プレート５を挿通させることによって、前述の排出阻止と同時に、搬送時に海藻プレート５の基準軸線Ｌ０に沿う方向の変位を阻止することができる。なぜならば、海藻プレート５が基準軸線Ｌ１０に沿って変位しようとしても、海藻プレート２５が係止部材２５に接触して、その変位が阻止される。また特に海中では、係止部材２５の外周面と海藻プレート５の係止孔１０に臨む内周面との隙間に海水が流入する。このように隙間に海水が流入している状態では、海藻プレート５が係止部材２５に対して変位しようとするとき、この隙間の海水を流動させなければならない。このような流動を生じさせるためには、力が必要であり、海藻プレート５が係止部材２５に対して変位しにくくなる。
【００６４】
陸上では、海藻プレート５がその自重によって、支持台１２に支持される状態で安定するが、海中では、海藻プレート５が海水から受ける浮力で、陸上に比べて支持台１２から浮き上がりやすくなる。このような海中では、前述の隙間の海水による働きによって、海藻プレート５が変位しにくくなる。したがって前述のように海藻プレート５を下方から支持するだけの構成であっても、搬送時に、海藻プレート５が不所望に変位してしまうことが防がれ、種苗２の傷つくことを防ぐことができる。
【００６５】
海藻プレート５を支持台１２によって下方から支持するだけの構成にすれば、上下方向から挟む構成にする場合に比べて、収容体３の構成を簡単にできるうえ、海藻プレート５の収容体３への収容作業および収容体３からの取出作業を容易にすることができる。また図２に示されるように、海藻プレート５の周縁部まで、種苗２を育成しても、種苗２を上側にして収容すれば収容体３に収容したときに、周縁部の種苗２が傷ついてしまうことがなく、極めて効果的である。したがって係止部材２５を海藻プレート５に挿通させる構成にすれば、海藻プレート５を支持台１２によって下方から支持するだけの構成にすることによる効果を得ることに寄与することができる。
【００６６】
図８は、種苗収容装置１を用いた種苗搬送方法を示すフローチャートである。図９は、種苗搬送方法の各工程を示す斜視図である。種苗搬送方法が開始されと、まずステップｓ１および図９（１）に示す育苗工程で、種苗２が育成される。この育苗は、育苗のための工場で、海水を満たしたす水槽４４に、海藻の種子および遊走子を付着させた海藻プレート５を入れて、種苗２を育成する。次にステップｓ２の収容工程で、複数の海藻プレート５を種苗収容装置１に収容し、排出を阻止する。
【００６７】
次に、ステップｓ３および図９（２）に示す搬送工程で、種苗収容装置１を移植場所の上方の海面付近まで搬送する。種苗収容装置１を搬送するにあたっては、搬送用容器４７に、海水とともに種苗収容装置１収納して搬送する。海藻プレート５が、一辺８０ｍｍ程度の小形に形成されているので、種苗収容装置１も小形であり、搬送用容器４７も、一辺が１２０ｍｍ以下、たとえば３００ｍｍ×２４０ｍｍ×２００ｍｍ程度と、小形になり、搬送用容器４７に海水ともに入れて、全体で１５ｋｇ程度にすることができる。したがって育成場所から移植場所の付近の陸上拠点までは、たとえば宅配便を利用して搬送し、この陸上拠点から移植場所の上方の海面付近までは船舶に搭載して搬送すればよい。
【００６８】
次に、ステップｓ４ならびに図９（３）および図９（４）に示す設置工程で海藻プレート５を移植場所に設置する。この設置工程では、まず図９（３）に示すように、種苗収容装置１を搬送容器４７から出して、船舶からロープ４８を用いて吊下げて下ろすようにして、海底まで搬送する。そして海底で、作業者が、海藻プレート５を種苗収容装置１から取出して、図９（４）に示すように、ボルト５０を用いて海藻プレート５を海底の移植場所５１に固定する。このようにして種苗２が移植される。
【００６９】
このような搬送方法によれば、陸上で海藻の種苗２を育成し、その種苗２を海底まで搬送して、海底に移植することができる。このような移植にあたって、海藻の種苗２は、海藻プレート５に育成され、この海藻プレート５をそのまま種苗収容装置１に収容して、少なくとも海底の移植場所の上方の海面付近まで搬送し、この場所からさらに移植場所まで海藻プレート５を搬送して、移植場所に固定することによって、種苗２が移植される。このように種苗２を育成し、海底に移植するまで、種苗２を海藻プレートに付着させたままであるので、種苗２の搬送が容易であるとともに、種苗を傷付けてしまうことがない。
【００７０】
また種苗２を移植場所の上方の海面付近まで搬送するにあたっては、種苗収容装置１を用いることによって、作業者が手作業で紐で縛るなどして搬送する場合に比べて、作業効率を高くすることができる。また海藻プレート５の収容空間６からの排出が阻止されているので、搬送時に海藻プレート５が収容体３から不所望に排出されてしまうことがなく、種苗収容装置１の搬送作業を容易にすることができる。
【００７１】
また種苗２を海底に移植するために、作業者が、海藻プレート５を種苗収容装置１から取出す場合、排出阻止手段４による海藻プレート５の排出阻止を解除するだけで、海藻プレート５を開口を介して、収容体３から取出すことができるようになり、作業を容易にすることができる。特にこの取出作業を海底でするときには、効果的である。
【００７２】
このような種苗の搬送を実現できるので、種苗２を、１カ所で大規模に育成し、各地の移植場所に搬送することが可能になり、このような移植作業に大きく貢献することができる。
【００７３】
図１０は、本発明の実施の他の形態の種苗収容装置１αを示す断面図である。本実施の形態の種苗収容装置１αは、図１〜図９に示す実施の形態の種苗収容装置１と類似しており、異なる構成についてだけ説明し、同様の構成については、説明を省略する。本実施の形態の種苗収容装置１αは、図１〜図９の種苗収容装置１を２つ、背中合わせに組合わせた構成である。このような構成であっても同様の効果を達成できる。
【００７４】
図１１は、本発明の実施のさらに他の形態の種苗収容装置１βを示す断面図である。本実施の形態の種苗収容装置１βは、図１〜図９に示す実施の形態の種苗収容装置１と類似しており、異なる構成についてだけ説明し、同様の構成については、説明を省略する。本実施の形態の種苗収容装置１βは、支持台１２が、背後部１８に近づくにつれて底部１６へ近づくように形成される。このような構成では、図１〜図９の種苗収容装置１の効果に加えて、排出阻止をしていない状態であっても、海藻プレート５が排出されにくくなる効果を達成することができる。
【００７５】
図１２は、本発明の実施のさらに他の形態の種苗収容装置１γを示す断面図である。本実施の形態の種苗収容装置１γは、図１〜図９に示す実施の形態の種苗収容装置１と類似しており、異なる構成についてだけ説明し、同様の構成については、説明を省略する。本実施の形態の種苗収容装置１γは、複数の収容ユニット４０が円周上に、開口を半径方向外方に向けて設けられる構成である。このような構成であっても同様の効果を達成できる。
【００７６】
図１３は、本発明の実施のさらに他の形態の種苗収容装置１δを示す断面図である。本実施の形態の種苗収容装置１δは、図１〜図９に示す実施の形態の種苗収容装置１と類似しており、異なる構成についてだけ説明し、同様の構成については、説明を省略する。本実施の形態の種苗収容装置１δは、４つの収容ユニット４０が、マトリクス状に並べられ、各収容ユニット４０が背壁部１８ａを他の１つの収容ユニット４０の一方の側壁部１７に対向させて配置される。このような構成であっても同様の効果を達成できる。
【００７７】
図１４は、本発明の実施のさらに他の形態の種苗収容装置１εを示す断面図である。本実施の形態の種苗収容装置１εは、図１〜図９に示す実施の形態の種苗収容装置１と類似しており、異なる構成についてだけ説明し、同様の構成については、説明を省略する。本実施の形態の種苗収容装置１εは、開口７を上方に向けて配置される構成である。このような構成であっても同様の効果を達成でき、加えて、排出阻止をしていない状態であっても、海藻プレート５が排出されにくくなる効果を達成することができる。
【００７８】
図１５は、本発明の実施のさらに他の形態の種苗収容装置１ζを示す断面図である。本実施の形態の種苗収容装置１ζは、図１〜図９に示す実施の形態の種苗収容装置１と類似しており、異なる構成についてだけ説明し、同様の構成については、説明を省略する。本実施の形態の種苗収容装置１ζでは、各収容ユニット４０の上壁部１５ａの開放端側端部に、大略的にＵ字状の装着用部材６０が設けられ、この装着用部材６０によって装着用孔３０が形成される。また各収容ユニット４０の下壁部１５ａの開放端側端部に、大略的にＵ字状の嵌合用部材６６が設けられ、この嵌合用部材６１によって嵌合孔３３が形成される。このような構成であっても同様の効果を達成できる。
【００７９】
図１６は、本発明の実施のさらに他の形態の種苗収容装置１ηを示す断面図である。図１７は、掛合片２６ηを示す断面図である。本実施の形態の種苗収容装置１ηは、図１〜図９に示す実施の形態の種苗収容装置１と類似しており、異なる構成についてだけ説明し、同様の構成については、説明を省略する。本実施の形態の種苗収容装置１ηでは、係止手段４に代えて、係止手段４ηが設けられる。
【００８０】
係止手段４ηは、一端部が収容ユニット４０の下壁部１５ａの開放端側端部に、水平な軸線まわりに角変位自在に連結される係止部材２５ηを有する。係止部材２５ηの他端部には、半円弧状の凹部５５が形成されている。収容ユニット４０の上壁部１５ａの開放端側端部には、半球状の掛合片２６ηが形成される。このような構成であっても、同様の効果を達成することができる。
【００８１】
図１８は、本発明の実施のさらに他の形態の種苗収容装置１θを示す断面図である。図１９は、排出阻止手段４θを示す断面図である。本実施の形態の種苗収容装置１θは、図１〜図９に示す実施の形態の種苗収容装置１と類似しており、異なる構成についてだけ説明し、同様の構成については、説明を省略する。本実施の形態の種苗収容装置１θでは、係止手段４に代えて、係止手段４θが設けられる。
【００８２】
係止手段４θは、各支持台１２の開放端側の端部に一体に設けられて、上方に屈曲して形成される。この係止手段４θは、支持台１２に支持される海藻プレート５を背壁部１９ａと協働して弾発的に挟持し、海藻プレート５の排出を阻止すする。このような構成であっても、同様の効果を達成することができる。
【００８３】
前述の各実施の形態は、本発明の例示に過ぎず、本発明の範囲内において、構成を変更することができる。たとえば、本発明の実施の他の形態として、海藻プレート５は、移植場所の上方の海面付近で、船舶上において種苗収容装置１から取出し、ブロックに海藻プレート５を固定して、ブロックを海底に沈下させてもよい。
【００８４】
【発明の効果】
以上のように本発明によれば、海藻の種苗が育成される複数の育苗部材を、収容体の収容空間に収容し、育苗部材の収容空間からの排出を排出阻止手段によって阻止することができる。このような種苗収容装置に、育苗部材を収容し、この種苗収容装置を、搬送することによって、種苗を搬送することができる。この種苗収容装置を用いれば、複数の育苗部材を作業者が紐で縛るなどして搬送する場合に比べて、作業を容易にし、作業効率を高くすることができる。
【００８５】
また種苗を海底に移植するために、作業者が、育苗部材を種苗収容装置から取出すにあたっては、排出阻止手段による育苗部材の排出阻止を解除するだけで、育苗部材を開口を介して、収容体から取出すことができるようになる。作業者は、紐を解くなどの手間を要する作業をしなくても、育苗部材の取出しが可能になるので、作業効率を高くすることができる。
【００８６】
また本発明によれば、係止部材を変位させるだけで、育苗部材の排出阻止状態と排出阻止解除状態とを切り換えることができる。これによって、この切換作業を容易にすることができ、育苗部材を収容体に収容する作業および育苗部材を収容体から取出す作業を容易にすることができる。
【００８７】
また本発明によれば、掛合片によって、係止部材の変位を阻止することができるので、種苗収容装置を陸上から海底まで搬送するときに、係止部材が不所望に変位して、育苗部材の排出阻止が解除されてしまうことが防がれる。このように係止部材の不所望な変位を阻止する掛合片は、係止部材に弾発的に掛合されており、作業者が、簡単な操作によって、相互の掛合状態を解除し、係止部材を変位させることができる状態にすることができる。したがって種苗収容装置を搬送するときには、育苗部材が排出されてしまうことを確実に防ぎ、かつ育苗部材を取出すときには、育苗部材の排出阻止状態を、簡単な操作で容易に解除することができる。
【００８８】
また本発明によれば、１つの係止部材によって、複数の育苗部材を係止可能である。これによって１つの係止部材を変位させるだけで、複数の育苗部材の排出阻止状態と排出阻止解除状態とを切り換えることができる。したがってこの切換作業をさらに容易にすることができ、育苗部材を収容体に収容する作業および育苗部材を収容体から取出す作業をさらに容易にすることができる。
【００８９】
また本発明によれば、排出阻止手段は、育苗部材を弾発的に挟持することによって、育苗部材の排出を阻止することができる。これによって簡単な操作で、育苗部材の排出阻止状態と排出阻止解除状態とを切り換えることができる。したがってこの切換作業を容易にすることができ、育苗部材を収容体に収容する作業および育苗部材を収容体から取出す作業を容易にすることができる。
【００９０】
また本発明によれば、陸上で海藻の種苗を育成し、その種苗を海底まで搬送して、海底に移植することができる。このような移植にあたって、海藻の種苗は、育苗部材に育成され、この育苗部材をそのまま種苗収容装置に収容して、少なくとも海底の移植場所の上方の海面付近まで搬送し、この場所からさらに移植場所まで育苗部材を搬送し、移植場所に固定することによって、種苗が移植される。このように種苗を育成し、海底に移植するまで、種苗を育苗部材に付着させたままであるので、種苗の搬送が容易であるとともに、種苗を傷付けてしまうことがない。
【００９１】
また種苗を移植場所の上方の海面付近まで搬送するにあたっては、種苗収容装置を用いることによって、作業者が手作業で紐で縛るなどして搬送する場合に比べて、作業効率を高くすることができる。また育苗部材の収容空間からの排出が阻止されているので、搬送時に育苗部材が収容体から不所望に排出されてしまうことがなく、種苗収容装置の搬送作業を容易にすることができる。
【００９２】
また種苗を海底に移植するために、作業者が、育苗部材を種苗収容装置から取出す場合、排出阻止手段による育苗部材の排出阻止を解除するだけで、育苗部材を開口を介して、収容体から取出すことができるようになる。作業者は、紐を解くなどの手間を要する作業をしなくても、育苗部材の取出しが可能になる。したがって作業効率を高くすることができる。特にこの取出作業を海底でするときには、効果的である。
【００９３】
また本発明によれば、種苗収容装置は、外形寸法が１２０ｃｍ以下の容器に収納可能である。外形寸法が１２０ｃｍ以下の容器に収納できれば、育苗部材をその容器に収納して、宅配業者が行っている宅配サービスによって、搬送することができ、育成場所と移植場所の近郊までの陸上搬送が容易になる。
【図面の簡単な説明】
【図１】本発明の実施の一形態の種苗収容装置１を示す斜視図である。
【図２】種苗収容装置１の一部を拡大して示す正面図である。
【図３】種苗収容装置１を示す断面図である。
【図４】海藻プレート５を示す斜視図である。
【図５】収容体３の側壁部１７付近の一部を拡大して示す斜視図である。
【図６】収容体３の天井部１５付近の一部を拡大して示す斜視図である。
【図７】収容体３の底部１６付近の一部を拡大して示す斜視図である。
【図８】種苗収容装置１を用いた種苗搬送方法を示すフローチャートである。
【図９】種苗搬送方法の各工程を示す斜視図である。
【図１０】本発明の実施の他の形態の種苗収容装置１αを示す断面図である。
【図１１】本発明の実施のさらに他の形態の種苗収容装置１βを示す断面図である。
【図１２】本発明の実施のさらに他の形態の種苗収容装置１γを示す断面図である。
【図１３】本発明の実施のさらに他の形態の種苗収容装置１δを示す断面図である。
【図１４】本発明の実施のさらに他の形態の種苗収容装置１εを示す断面図である。
【図１５】本発明の実施のさらに他の形態の種苗収容装置１ζを示す断面図である。
【図１６】本発明の実施のさらに他の形態の種苗収容装置１ηを示す断面図である。
【図１７】掛合片２６ηを示す断面図である。
【図１８】本発明の実施のさらに他の形態の種苗収容装置１θを示す断面図である。
【図１９】排出阻止手段４θを示す断面図である。
【符号の説明】
１，１α〜１θ  種苗収容装置
２  種苗
３  収容体
４，４η，４θ  排出阻止手段
５  海藻プレート
６  収容空間
２５，２５η  係止部材
２６，２６η  掛合片
４０  収容ユニット
【図１】
0003726111.tif 000002
【図２】
0003726111.tif 000003
【図３】
0003726111.tif 000004
【図４】
0003726111.tif 000005
【図５】
0003726111.tif 000006
【図６】
0003726111.tif 000007
【図７】
0003726111.tif 000008
【図８】
0003726111.tif 000009
【図９】
0003726111.tif 000010
【図１０】
0003726111.tif 000011
【図１１】
0003726111.tif 000012
【図１２】
0003726111.tif 000013
【図１３】
0003726111.tif 000014
【図１４】
0003726111.tif 000015
【図１５】
0003726111.tif 000016
【図１６】
0003726111.tif 000017
【図１７】
0003726111.tif 000018
【図１８】
0003726111.tif 000019
【図１９】
0003726111.tif 000020